(57)【要約】【課題】  テレビ画面とセンターチャンネル定位位置とが異なることに起因する違和感を解消する。【解決手段】  フロントＬチャンネル、フロントＲチャンネル、サラウンドＬチャンネル及びサラウンドＲチャンネル信号を再生するためのスピーカードライバー８〜１１と、フロントＬチャンネル、フロントＲチャンネル、サラウンドＬチャンネル及びサラウンドＲチャンネル用スピーカードライバー８〜１１を互いに定められた位置に取り付ける位置決め部材１７、７０と、フロントＬチャンネル、フロントＲチャンネル、サラウンドＬチャンネル及びサラウンドＲチャンネル用スピーカードライバー８〜１１の設置場所とは異なる場所に設置可能とすべく、前記位置決め部材１７とは独立して設けられたセンターチャンネル用スピーカードライバー２とからなる。【選択図】        図６
2008294577.tif 000002
【特許請求の範囲】
【請求項１】
フロントＬチャンネル、フロントＲチャンネル、サラウンドＬチャンネル及びサラウンドＲチャンネル信号を再生するためのスピーカードライバーと、
該フロントＬチャンネル、フロントＲチャンネル、サラウンドＬチャンネル及びサラウンドＲチャンネル用スピーカードライバーを互いに定められた位置に取り付ける位置決め部材と、
前記フロントＬチャンネル、フロントＲチャンネル、サラウンドＬチャンネル及びサラウンドＲチャンネル用スピーカードライバーの設置場所とは異なる場所に設置可能とすべく、前記位置決め部材とは独立して設けられたセンターチャンネル用スピーカードライバーとからなることを特徴とするマルチチャンネル信号再生装置。
【請求項２】
前記サラウンドＬチャンネル及びサラウンドＲチャンネル用スピーカードライバーをリスナー前方に設置した際、該設置場所とは異なる場所に音源を位置させるバーチャライザーを備えたことを特徴とする請求項１に記載のマルチチャンネル信号再生装置。
【発明の詳細な説明】
【技術分野】
【０００１】
本発明は、ＤＶＤや地上波デジタル放送を再生する際に使用されるマルチチャンネル信号再生装置に関する。
【背景技術】
【０００２】
５．１チャンネル又は６．１チャンネルといったマルチチャンネルサラウンド信号を再生する、所謂ホームシアターシステムが一般家庭に普及している。このシステムは、基本的には各チャンネル毎に独立したスピーカーによって各チャンネルの信号を再生する。従って、５．１チャンネル信号の再生の場合、前方にフロントＬチャンネル、フロントセンターチャンネル、フロントＲチャンネル用のスピーカーを３個、後方にリアＬチャンネル、リアＲチャンネル用のスピーカーを２個配置する必要がある。更に、低音再生用にサブウーファーもほとんどの場合に必要となる。
【０００３】
一方、本出願人は特許文献１に開示されるとおり、５個のスピーカードライバーが一体に取り付けられたスピーカーボックスをリスナー近傍の位置まで移動させることができるスピーカーを提案している。かかるスピーカーを使用することにより、リスナーのリスニングポジションに応じてスピーカーを移動させることにより最適なリスニングポジションで再生音を聴取することが可能となる。
【特許文献１】特開２００５−１７６０５３号公報
【発明の開示】
【発明が解決しようとする課題】
【０００４】
リスニングポジション近傍にスピーカーを移動させた場合、センタースピーカーも同様にリスナーの近傍に移動するが、映画のセリフやニュース番組におけるアナウンサーの声など、テレビ画面の中央に定位すべきセンターチャンネルからの再生音がスピーカーの位置の定位するため、テレビ画面とセンターチャンネル定位位置とが異なることに起因する違和感が生じる。
【課題を解決するための手段】
【０００５】
本発明は上述の課題を解決するために、フロントＬチャンネル、フロントＲチャンネル、サラウンドＬチャンネル及びサラウンドＲチャンネル信号を再生するためのスピーカードライバーと、フロントＬチャンネル、フロントＲチャンネル、サラウンドＬチャンネル及びサラウンドＲチャンネル用スピーカードライバーを互いに定められた位置に取り付ける位置決め部材と、フロントＬチャンネル、フロントＲチャンネル、サラウンドＬチャンネル及びサラウンドＲチャンネル用スピーカードライバーの設置場所とは異なる場所に設置可能とすべく、位置決め部材とは独立して設けられたセンターチャンネル用スピーカードライバーからなる。
【発明の効果】
【０００６】
本発明によれば、フロントＬチャンネル、フロントＲチャンネル、サラウンドＬチャンネル及びサラウンドＲチャンネル信号を再生するためのスピーカードライバー８〜１１を備えたスピーカーを任意のリスニングポジションに対して移動した場合においても、センターチャンネル信号を再生するためのスピーカードライバーをテレビの設置場所近傍に配置できるため、映画のセリフやュース番組におけるアナウンサーの声などがテレビ画面の中心に定位し、違和感のない再生音を楽しむことができる。
【発明を実施するための最良の形態】
【０００７】
以下、本発明による最良の実施形態を、添付図面を参照しながら説明する。
【実施例１】
【０００８】
以下、本発明の実施例を説明する。図１〜図３は本発明に使用するスピーカー１の正面図、上面図及び底面図である。スピーカー１は合計５個の外径が球形とされた密閉型のスピーカーボックス２〜６から構成され、それぞれのスピーカーボックス２〜６には各１個のスピーカードライバー７〜１１が設けられている。各スピーカーボックス２〜６の底部にはそれぞれ台座１２〜１６が固定され、これら台座１２〜１６が板状のプレート１７に取り付けられている。なお、センターチャンネル用のスピーカーボックス２用の台座１２はプレート１７に対して取り外し可能とすべく、通常の２個のネジ１８、１８で取り付けられているが、他のスピーカーボックス３〜６用の台座１３〜１６はユーザーによって取り外しができないよう、ネジ頭が特殊形状の２個のネジ１９、１９で固定されている。このプレートにスピーカーボックス３〜６が固定されることにより、それぞれのスピーカードライバー８〜１１に対してプレート１７が位置決め部材として作用し、互いに定められた位置関係で固定される。
【０００９】
図示の集合状態において、フロントＬチャンネル用スピーカードライバー８及びフロントＲチャンネル用スピーカードライバー９の振動軸は互いに外側を向いているため、各スピーカードライバー８、９からの再生音は互いに反対方向に空間上に放射される。従って、この角度配置により、スピーカードライバー８、９が大きく間隔を空けて配置された状態と同じ効果を有する。もちろんこの角度配置によりスピーカードライバーの振動軸がリスナーに対して正対していないため、特に高域の周波数特性が劣化するという欠点が生じる場合もある。その場合は周知のイコライザ回路で減衰した高域を補えばよい。なお、図１〜３において、各スピーカードライバー７〜１１に接続されるスピーカーケーブルは省略する。
【００１０】
図４は上述のスピーカードライバー７〜１１を駆動するアンプを含むホームシアターシステム４０の回路ブロック図である。光学ピックアップ、ターンテーブル等の機構部及び各種サーボ回路やデータ復調回路を備えるＤＶＤドライブ４１からのデジタルデータは５．１チャンネルデコーダ４２に入力され、フロントＬ、フロントセンター、フロントＲ、リアＬ、リアＲチャンネル及びサブウーハーチャンネル信号にそれぞれデコード処理される。フロントＬ、フロントＲおよびフロントセンターチャンネルのそれぞれのデジタル信号は、デジタルアンプ４７に入力される。
【００１１】
一方、リアＬ及びリアＲチャンネル信号は、マイコン５１によって制御されるスイッチ４３、４４を介して第１のバーチャライザー４９に入力される。バーチャライザー４９は例えばリアＬチャンネル信号をリスナーのフロント側に設置したスピーカーによって再生しても、リスナーの後方左側から再生音が聞こえてくるようなインパルス応答となるフィルター特性を持つフィルターを備えるものである。一般にこのフィルター係数は頭部伝達関数（ＨＲＴＦ）と呼ばれ、畳み込み演算処理が行われることにより、入力された信号は位置情報を持つことになる。このバーチャライザー４９自体の構成は当業界においては周知であり、本出願に直接関与するものではないため、その詳述は省略する。バーチャライザー４９の出力はスイッチ４５、４６を介してデジタルアンプ４７に入力されている。
【００１２】
図４に示すごとく、スイッチ４３〜４６はそれぞれの固定端子が一方の可動端子に接続することで、５．１チャンネルデコーダ４２のリアＬ及びリアＲチャンネル信号は第１のバーチャライザー４９によって信号処理された後、デジタルアンプ４４に出力される。一方、スイッチ４３〜４６の固定端子が他方の可動端子に接続することで、５．１チャンネルデコーダ４２のリアＬ及びリアＲチャンネル信号は第２のバーチャライザー５０によって信号処理された後、デジタルアンプ４４に出力される。
【００１３】
第１のバーチャライザー４９はスピーカー１とリスナーの間の距離が約２ｍとされたことを前提に各種フィルター特性が調整されており、一方、第２のバーチャライザー５０はスピーカー１とリスナーの間の距離が約０．５ｍとされたことを前提に各種フィルター特性が調整されている。マイコン５１によって制御されるスイッチ４３〜４６は、どちらのバーチャライザー４９又は５０を使用するかを選択するものである。
【００１４】
なお、ＣＤなど２チャンネルソースを再生中においては、５．１チャンネルデコーダ１１はフロントＬチャンネル信号を出力していた端子にＬチャンネル信号を、フロントＲチャンネル信号を出力していた端子にＲチャンネル信号を、また両チャンネルに含まれる低域信号をサブウーハーチャンネル信号に出力する。
【００１５】
デジタルアンプ４４によってＰＷＭ信号とされた各チャンネルの信号はローパスフィルタ（以下、ＬＰＦという）４８を通過してアナログ信号とされた後、各スピーカードライバー７〜１１及びサブウーファー３１に入力される。
【００１６】
図５はベース１７に各スピーカーボックス２〜６が固定された状態で、テレビ２０が設置されたテレビ台２１上にスピーカー１が設置され、リスナー２２がスピーカー１から約２ｍ離れた位置に着座している状態を示す上面図である。この使用状態においては、デコーダー４２のリアＬチャンネル、リアＲチャンネルがバーチャライザー４９に入力されるよう、スイッチ４３〜４６のそれぞれの可動端子が一方の固定端子に接続される。従って、リアＬチャンネル、リアＲチャンネル信号はバーチャライザー４９によってリスナー３０がスピーカー１から２ｍ離れた位置にいることを前提としたＨＴＲＦによる演算処理が施されるため、リスナー３０の前方にリアＬチャンネル、リアＲチャンネル信号を再生するスピーカードライバー１０、１１が位置しても、リスナー６１の後方に音像を定位させることが可能となる。
【００１７】
一方、リスナー３０がテレビ２０の正面ではない位置でスピーカー１からの再生音を聴取する場合、スクリュー１８を外してベース１７からセンターチャンネル用スピーカーボックス２を取り外し、このスピーカーボックス２をテレビ台２１における図５に示す位置とほぼ同じ位置に設置する。また、ベース１７はリスナー３０の正面に正対するよう設置する。この設置状態を図６に示す。
【００１８】
図６に示す設置状態においては図４に示すスイッチ４３〜４６の可動端子を図示に示す位置ではなく、他方の固定端子に接続し、バーチャライザー５０を使用する。これにより、使用するＨＲＴＦはリスナー３０がスピーカー１から約５０ｃｍ離間した位置にあることを前提とした各種フィルター特性が選択される。なお、スピーカー１からの再生音はリスナー３０の耳に直接入ってくる直接音と、壁や天井で反射した後で入ってくる反射音の２種類があり、一般的に反射音が多い場合、音像定位が不明瞭になる。しかしながら、スピーカー１はリスナー３０のすぐ近くに設置されるため、リスナー３０の耳に直接音が入る割合が多くなるため、明確な音像定位が得られる。
【００１９】
一方、センターチャンネル用スピーカーボックス２はテレビ２０の画面中央に位置するため、映画のセリフやニュース番組におけるアナウンサーの声がテレビ２０の画面中心に定位する。従って、スピーカーボックス２を取り外した後、スピーカー１を任意の位置に移動しても、本来、テレビ２０の画面中心に定位する音像が移動しないため、違和感を生じることがない。
【実施例２】
【００２０】
以下、本発明の第２の実施例を示す。第1の実施例においては、フロントＬチャンネル、フロントＲチャンネル、サラウンドＬチャンネル及びサラウンドＲチャンネルスピーカーボックス３〜６がそれぞれ独立していたが、第２の実施例においてはスピーカーボックスが一体に形成されている。図７はスピーカーボックス６０の上面図であり、４個の密閉型のエンクロージャー６１〜６４が一体的に設けられている。このため、スピーカーボックス６０が各スピーカードライバー８〜１１の位置を定められた位置関係とする位置決め部材として作用する。
【００２１】
フロントＬチャンネル用スピーカードライバー８及びＲチャンネル用スピーカードライバー９の振動軸は、互いに背中合わせとなるようスピーカー１に設けられている。従って、フロントＬチャンネル用スピーカードライバー８及びフロントＲチャンネル用スピーカードライバー９の振動軸は互いに１８０度の角度とされているため、各スピーカードライバー５７、５８からの再生音は互いに反対方向に空間上に放射される。これにより、スピーカードライバー８、９の間隔が短くてもステレオイメージが狭くなることはない。
【００２２】
リアＬチャンネル信号及びリアＲチャンネル信号を再生するバーチャライザー用スピーカードライバー１０、１１は、フロントＬチャンネル用スピーカードライバー８及びフロントＲチャンネル用スピーカードライバー９の振動軸に対してそれぞれ３０度、リスナー側に向けられた状態でエンクロージャー６２、６３に設けられている。なお、６５はスピーカーボックス６０内を４個のエンクロージャー６１〜６４に分離するための隔壁、６６は各スピーカードライバー８〜１１に接続されるスピーカーケーブルである。
【００２３】
図８はセンターチャンネル用スピーカードライバー７が取り付けられた密閉型のスピーカーボックス７０であり、第１の実施例と同様、このスピーカーボックス７０をテレビの画面近傍に配置し、またスピーカーボックス６０はリスナー３０の近傍に設置するが、このとき、フロントＬチャンネル用スピーカードライバー８及びＲチャンネル用スピーカードライバー９の振動軸がリスナーに対してそれぞれ９０度となるよう設置する。またこの第２の実施例においては、常にスピーカーボックス６０がリスナー３０の近傍に設置されるため、図４におけるバーチャライザー４９、５９を切り換え使用する必要はなく、例えばスピーカーボックス７０からリスナー３０までの距離が５０ｃｍとした場合に最適なフィルター特性となるようなバーチャラーザーを１個用意すればよい。
【００２４】
なお、本発明は上述の実施例に限定されることなく、本発明の趣旨を逸脱しない範囲で種々の態様を取り得る。例えば、センターチャンネル用スピーカードラーバー７をテレビ２０に組み込むことも可能である。
【図面の簡単な説明】
【００２５】
【図１】スピーカー１の正面図。
【図２】スピーカー１の上面図。
【図３】スピーカー１の底面図。
【図４】回路ブロック図。
【図５】スピーカー１の設置状態を示す上面図。
【図６】スピーカー１の設置状態を示す上面図。
【図７】スピーカー６０の上面図。
【図８】スピーカー６５の上面図。
【符号の説明】
【００２６】
１  スピーカー
２〜６  スピーカーボックス
７〜１１  スピーカードライバー
１７  プレート
２０  テレビ
４０  ホームシアターシステム
６０、７０  スピーカーボックス
【図１】
2008294577.tif 000003
【図２】
2008294577.tif 000004
【図３】
2008294577.tif 000005
【図４】
2008294577.tif 000006
【図５】
2008294577.tif 000007
【図６】
2008294577.tif 000008
【図７】
2008294577.tif 000009
【図８】
2008294577.tif 000010